(57)【要約】【課題】設計の自由度に優れ、所望とする帯域幅及び中心周波数のフィルタ特性を容易に得ることができるデュアルモード・バンドパスフィルタを提供する。【解決手段】誘電体基板２に設けられた共振器電極３と、共振器電極３に結合された入出力結合回路５，６と、共振器電極と誘電体基板の一部を介して対向するように配置されたグラウンド電極９，１０と、共振器電極３に生じた２つの共振モードが結合されるように、共振器電極３の少なくとも一方面から誘電体基板内において共振器電極に直交するように突出されたビアホール電極４とを備える、デュアルモード・バンドパスフィルタ１。【選択図】        図１
2004312184.tif 000002
【特許請求の範囲】
【請求項１】
誘電体基板と、
前記誘電体基板に設けられた共振器電極と、
前記共振器電極に結合された入出力結合回路と、
前記共振器電極と誘電体基板の一部を介して対向するように配置されたグラウンド電極を備え、
前記共振器電極に生じる２つの共振モードが結合するように、前記誘電体基板内において前記共振器電極の少なくとも一方面から該共振器電極に直交するように突出されたビアホール電極とを備えることを特徴とする、デュアルモード・バンドパスフィルタ。
【請求項２】
前記ビアホール電極が形成されている共振器部分が、残りの共振器電極内に比べて相対的に強い共振電界を生じる共振器電極部分である、請求項１に記載のデュアルモード・バンドパスフィルタ。
【請求項３】
前記ビアホール電極が複数設けられている、請求項１または２に記載のデュアルモード・バンドパスフィルタ。
【請求項４】
前記共振器電極の平面形状が、円形、矩形、菱形または多角形である、請求項１〜３のいずれかに記載のデュアルモード・バンドパスフィルタ。
【請求項５】
前記グラウンド電極が、前記共振器電極の上下に配置された第１，第２のグラウンド電極を有する、請求項１〜４のいずれかに記載のデュアルモード・バンドパスフィルタ。
【請求項６】
請求項１〜５のいずれかに記載のデュアルモード・バンドパスフィルタを少なくとも１つ有してなる、デュプレクサ。
【請求項７】
請求項１〜６のいずれかに記載のデュアルモード・バンドパスフィルタまたは請求項６に記載のデュプレクサの少なくとも一方を有する、無線通信装置。
【発明の詳細な説明】
【０００１】
【発明の属する技術分野】
本発明は、例えばマイクロ波〜ミリ波帯の通信機において帯域フィルタとして用いられるデュアルモード・バンドパスフィルタ、デュアルモード・バンドパスフィルタを用いたデュプレクサ及び無線通信装置に関する。
【０００２】
【従来の技術】
従来、高周波領域で用いられるバンドパスフィルタとして、デュアルモード・バンドパスフィルタが種々提案されている（下記の非特許文献１など）。
【０００３】
非特許文献１に記載のデュアルモード・バンドパスフィルタでは、円形の共振器パターンの中心に対して中心角９０°をなすように入力線路及び出力線路が共振器電極に結合されるように配置されており、かつ入力線路及び出力線路から中心角で１３５°の位置に先端開放ストリップ線路スタブが設けられ、それによって２つの共振モードが結合されている。
【０００４】
また、上記非特許文献１には、正方形の共振器パターンの隣接する２辺の中央部分に入出力線路が結合されており、該２辺がなすコーナー部分と対向するコーナー部分に切欠を設けることにより、２つの共振モードの結合が図られた構造も開示されている。
【０００５】
しかしながら、非特許文献１に記載のようなデュアルモード・バンドパスフィルタでは、２つの共振モードの結合を十分大きくすることができず、通過帯域幅を広くすることが困難であった。また、共振器パターンの形状についても制約があり、設計の自由度が低かった。
【０００６】
これに対して、下記の特許文献１には、任意形状の共振器電極に貫通孔を形成し、該貫通孔の大きさを調整することにより、共振器電極に生じる２つの共振モードが結合されて、デュアルモード・バンドパスフィルタとしての特性が得られる旨が示されている。特許文献１に記載のデュアルモード・バンドパスフィルタでは、共振器電極の形状の制約がなく、かつ通過帯域幅の拡大を図ることができる。
【０００７】
また、下記の特許文献２には、特許文献１に記載のデュアルモード・バンドパスフィルタと同様に設計の自由度に優れ、所望とする帯域幅を容易に得ることができるデュアルモード・バンドパスフィルタが開示されている。
【０００８】
図１９及び図２０に示すように、特許文献２に記載のデュアルモード・バンドパスフィルタ１０１では、誘電体基板１０２の上面１０２ａ上に共振器電極１０３が形成されている。また、誘電体基板１０２の下面には、全面にグラウンド電極１０４が形成されている。そして、グラウンド電極１０４から上方に延びるように、ビアホール電極１０５，１０６が形成されている。ビアホール電極１０５は、その上端が、図２０に示すように、誘電体基板１０２の上面１０２ａには至らないように構成されている。ビアホール電極１０６も同様に構成されている。ここでは、共振器電極１０３において生じる２つの共振モードが結合されるように、上記ビアホール電極１０５，１０６と共振器電極１０３との間で構成されるコンデンサが付加されている。
【０００９】
【非特許文献１】
「Ｍｉｎｉａｔｕｒｅ  Ｄｕａｌ  Ｍｏｄｅ  Ｍｉｃｒｏｓｔｒｉｐ  Ｆｉｌｔｅｒ」Ｊ．Ａ．Ｃｕｒｔｉｓ  ａｎｄ  Ｓ．Ｊ．Ｆｉｅｄｚｕｉｓａｋｏ  １９９１、ＩＥＥ  ＭＴＴ−Ｓ  Ｄｉｇｅｓｔ
【特許文献１】
特開２００１−２３７６０９号公報
【特許文献２】
特開２００２−１７１１０７号公報
【００１０】
【発明が解決しようとする課題】
特許文献２，３に記載のデュアルモード・バンドパスフィルタでは、共振器電極の形状の制約がなく、設計の自由度に優れ、かつ所望とする帯域幅を容易に得ることができる。
【００１１】
しかしながら、特許文献２に記載のデュアルモード・バンドパスフィルタにおいて、インピーダンス調整を図るために、積層容量により、入出力を結合した場合、入出力結合線路の形状が制限されるという問題があった。すなわち、共振器電極には貫通孔が形成されているため、入出力結合線路と共振器電極とで上記積層容量を得ようとした場合、貫通孔が設けられているため、入出力結合線路の形状に制限があり、かつ十分な大きさの静電容量を得ることができず、インピーダンスを高くすることができないことがあった。
【００１２】
他方、特許文献２に記載のデュアルモード・バンドパスフィルタでは、２つの共振モードのうち一方の共振モードの容量を変化させているため、共振器とグラウンド面が離れているとグラウンド面から延ばすビア電極が長くなり、加工工程を増やす原因となっていた。
【００１３】
本発明の目的は、上述した従来技術の欠点を解消し、加工工程が少なく、設計の自由度に優れ、所望とする帯域幅を容易に得ることができるだけでなく、所望とするインピーダンスを容易に得ることができ、かつ所望とする周波数特性を容易に得ることができるデュアルモード・バンドパスフィルタを提供することにある。
【００１４】
【課題を解決するための手段】
本発明の広い局面によれば、誘電体基板と、前記誘電体基板に設けられた共振器電極と、前記共振器電極に結合された入出力結合回路と、前記共振器電極と誘電体基板の一部を介して対向するように配置されたグラウンド電極とを備え、前記共振器電極に生じる２つの共振モードが結合されるように、前記誘電体基板内において前記共振器電極の少なくとも一方面から該共振器電極に直交するように突出されたビアホール電極とを備えることを特徴とする、デュアルモード・バンドパスフィルタが提供される。
【００１５】
本発明に係るデュアルモード・バンドパスフィルタのある特定の局面では、前記ビアホール電極が形成されている共振器部分が、残りの共振器電極内に比べて相対的に強い共振電界を生じる。
【００１６】
本発明に係るデュアルモード・バンドパスフィルタの他の特定の局面では、上記ビアホール電極が複数設けられている。
本発明に係るデュアルモード・バンドパスフィルタでは、共振器電極の平面形状が、特に限定されないが、例えば、円形、矩形、菱形または多角形とすることができる。
【００１７】
本発明に係るデュアルモード・バンドパスフィルタのより限定的なある局面では、上記グラウンド電極は、共振器電極の上下に配置された第１，第２のグラウンド電極を有し、それによってトリプレート型の構造を有するデュアルモード・バンドパスフィルタが提供される。
【００１８】
本発明に係るデュプレクサは、本発明に従って構成されたデュアルモード・バンドパスフィルタを用いて構成されていることを特徴とし、本発明に係る無線通信装置は、本発明に従って構成されたデュアルモード・バンドパスフィルタまたは本発明に従って構成されたデュプレクサを有することを特徴とする。
【００１９】
【発明の実施の形態】
以下、図面を参照しつつ、本発明の具体的な実施形態を説明することにより、本発明を明らかにする。
【００２０】
図１（ａ）及び（ｂ）は、本発明の第１の実施例に係るデュアルモード・バンドパスフィルタの平面図及び（ａ）中のＡ−Ａ線に沿う断面図である。
デュアルモード・バンドパスフィルタ１は、矩形板状の誘電体基板２を有する。誘電体基板２は、本実施例では、比誘電率（εｒ＝６．２７）及び誘電正接（ｔａｎδ＝０．００１）のＢａ，Ａｌ，Ｓｉを主成分とする多層セラミック基板により構成されている。もっとも、本実施例及び以下の実施例において誘電体基板２を構成する誘電体材料については特に限定されず、フッ素樹脂のような合成樹脂、Ｂａ，Ａｌ，Ｓｉを主成分とする適宜の誘電体セラミックスを用いて誘電体基板２を構成することができる。
【００２１】
誘電体基板２の寸法についても特に限定されないが、本実施例では、４．５×３．２×１．０ｍｍの寸法とされている。
誘電体基板２内には、共振器電極３が形成されている。図１（ｃ）は、共振器電極３が設けられている部分の平面断面図である。共振器電極３は、円形の形状を有する。本実施例では、共振器電極３は、誘電体基板２を平面視した場合、その中心に円形の共振器電極３の中心が一致するように配置されている。もっとも、共振器電極３は、誘電体基板２を平面視した場合の中心からずれた位置に配置されていてもよい。
【００２２】
共振器電極３の寸法は、特に限定されるわけではないが、共振器電極３の半径は１．１ｍｍとされている。
本実施例では、共振器電極３の下面から下方に突出するように、ビアホール電極４が形成されている。ビアホール電極４は、円柱状の形状を有し、その先端が後述のグラウンド電極１０には至らないように形成されている。ビアホール電極４の形成位置は、図１（ｃ）に示すように、誘電体基板２の短辺方向において、誘電体基板２の中心から距離ｘだけずれた位置とされている。本実施例では、距離ｘは０．８ｍｍとした。
【００２３】
また、ビアホール電極４の直径は０．２ｍｍ、長さは０．１５ｍｍとした。
共振器電極３の上方には、誘電体基板２の一部である誘電体基板層を介して対向するように入出力結合回路５，６が配置されている。図２（ｂ）に示すように、入出力結合回路５，６は、誘電体基板２の端面２ｃ，２ｄから中央方向に延びるように配置されており、入出力結合回路５，６の先端は誘電体基板の中央領域で隔てられている。
【００２４】
入出力結合回路５，６は、共振器電極３と部分的に対向し、容量により共振器電極３に結合されている。
また、誘電体基板２の端面２ｃ，２ｄには、入出力結合回路５，６に電気的に接続されるように入出力電極７，８が形成されている。入出力電極７，８は、端面２ｃ，２ｄの中央において上下方向に延びるように形成されている。
【００２５】
他方、誘電体基板２内において、入出力結合回路５，６が設けられている位置よりも上方に第１のグラウンド電極９が形成されている。グラウンド電極９は、端面２ｃ，２ｄには至らないように形成されている。
【００２６】
同様に、共振器電極３の下方においても、図２（ａ）に示す第２のグラウンド電極１０が形成されている。第２のグラウンド電極１０もまた、端面２ｃ，２ｄには至らないように形成されている。
【００２７】
また、誘電体基板２の一対の側面にもグラウンド電極１２，１３が形成される。
従って、グラウンド電極９，１０，１２，１３はいずれも誘電体基板２の一部を介して共振器電極３に対向しており、特に、グラウンド電極９，１０は誘電体基板層を介して共振器電極３に面対向されている。
【００２８】
上記共振器電極３、ビアホール電極４、入出力結合回路５，６、入出力電極７，８及びグラウンド電極９，１０，１２，１３は、適宜の導電性材料で構成されるが、本実施例では、Ｃｕにより構成されている。
【００２９】
デュアルモード・バンドパスフィルタ１では、入出力結合回路５，６の一方と、グラウンド電極９，１０との間に入力電圧を印加し、入出力結合回路５，６の他方とグラウンド電極９，１０との間で出力が取り出される。この場合、共振器電極３においては、複数の共振モードが生じるが、ビアホール電極４が共振器電極３の中心からずらされた位置に配置されており、ビアホール電極４が設けられている部分の共振電界がビアホール電極４が設けられていない共振器電極部分に比べて強められている。また、上記ビアホール電極４は、２つの共振モードが結合するように配置されているため、該２つの共振モードが結合されて、入出力結合回路５，６の他方とグラウンド電極９，１０との間でバンドパスフィルタとしての特性を取り出すことができる。
【００３０】
これを、図３を参照して説明する。図３は、本実施例のデュアルモード・バンドパスフィルタの周波数特性を示す図である。図３において、一点鎖線は、反射特性を、実線が通過特性を示す。図３から明らかなように、本実施例によれば、２８ＧＨｚ帯で良好な周波数特性を有するデュアルモード・バンドパスフィルタを得られることがわかる。これは、上述したビアホール電極４により共振器電極３における共振電界の分布が部分的に強められ、２つの共振モードが結合したことによると考えられる。
【００３１】
本実施例のデュアルモード・バンドパスフィルタ１では、上記のように共振器電極３にビアホール電極４を設けるだけで、デュアルモード・バンドパスフィルタを構成することができる。従って、入出力結合回路５，６の結合位置に制約がなく、また共振器電極３の形状についても特に限定されないため、デュアルモード・バンドパスフィルタ１では、設計の自由度が大幅に高められる。加えて、ビアホール電極４の寸法及び位置を調整することにより、後述の実施例からも明らかなように、帯域幅や周波数特性の異なるデュアルモード・バンドパスフィルタを容易に提供することができる。
【００３２】
図４は、本発明の第２の実施例に係るデュアルモード・バンドパスフィルタを説明するための正面断面図であり、第１の実施例について示した図１（ｃ）に相当する図であり、共振器電極が構成されている部分の平面断面図である。第２の実施例のデュアルモード・バンドパスフィルタ１１では、ビアホール電極４の形成位置が、図４に示すように変更されたことを除いては、第１の実施例のデュアルモード・バンドパスフィルタ１と同様に構成されている。
【００３３】
すなわち、デュアルモード・バンドパスフィルタ１１では、ビアホール電極４の形成位置が、共振器電極３の中心から、誘電体基板２の短辺方向において距離ｘ１、誘電体基板２の長辺方向において距離ｙ１ずらされた位置とされている。ここで、距離ｘ１は０．８ｍｍ、距離ｙ１は０．２ｍｍとされている。このようにして構成されたデュアルモード・バンドパスフィルタ１１の周波数特性を図５に示す。なお、図５においては、第１の実施例のデュアルモード・バンドパスフィルタ１の周波数特性も合わせて比較のために示すこととする。
【００３４】
図５において、一点鎖線及び実線は、第１のデュアルモード・バンドパスフィルタの反射特性及び通過特性をそれぞれ示し、破線Ｂ１及び破線Ｂ２が第２の実施例のデュアルモード・バンドパスフィルタの反射特性及び通過特性をそれぞれ示す。
【００３５】
図５から明らかなように、ビアホール電極４の形成位置を上記のように変更した場合であっても、第１の実施例の場合と同様に、デュアルモード・バンドパスフィルタとしての特性を得ることができ、かつビアホール電極４の位置の調整により周波数特性を変更し得ることがわかる。
【００３６】
図６は、本発明の第３の実施例に係るデュアルモード・バンドパスフィルタの平面断面図であり、第１の実施例について示した図１（ｃ）に相当する図である。第３の実施例のデュアルモード・バンドパスフィルタ２１では、共振器電極３の下面から複数のビアホール電極４ａ，４ｂが下方に突出するように形成されている。本発明のデュアルモード・バンドパスフィルタ１では、このように複数のビアホール電極４ａ，４ｂが共振器電極３の下面から下方に突出するように設けられてもよい。
【００３７】
図７は、第３の実施例のデュアルモード・バンドパスフィルタ２１の周波数特性と、第１の実施例のデュアルモード・バンドパスフィルタ１の周波数特性を示す図である。一点鎖線及び実線は、第１の実施例のデュアルモード・バンドパスフィルタ１の反射特性及び通過特性を示し、破線Ｃ１，Ｃ２が、第３の実施例のデュアルモード・バンドパスフィルタ２１の反射特性及び通過特性を示す。
【００３８】
上記のように、本発明のデュアルモード・バンドパスフィルタでは、ビアホール電極の形成によりデュアルモード・バンドパスフィルタとしての特性を得ることができるが、該ビアホール電極４の形成位置をずらせることにより周波数特性を様々に変更することができる。これを、図８〜図１０を参照して説明する。
【００３９】
第１の実施例のデュアルモード・バンドパスフィルタ１において、図８に示すようにビアホール電極４の共振器電極３の中心からの誘電体基板２の短辺方向距離ｘ３を０、０．４ｍｍ及び０．８ｍｍとされている３種類のデュアルモード・バンドパスフィルタを作製した。図９及び図１０は、このようにして得られた３種類のデュアルモード・バンドパスフィルタの反射特性及び通過特性をそれぞれ示す図である。
【００４０】
図９及び図１０から明らかなように、ビアホール電極４を誘電体基板２の中心から誘電体基板２の短辺方向に沿ってずらせていくことにより、帯域幅が変化し、距離ｘ３が大きくなる程帯域幅が広くなることがわかる。従って、ビアホール電極４を、共振器電極３の中心から誘電体基板２の短辺方向に沿ってずらせることにより、帯域幅を容易に調整し得ることがわかる。
【００４１】
デュアルモード・バンドパスフィルタ１では、ビアホール電極４の断面の大きさを変化させることによっても、周波数を調整することができる。これを図１１から図１３を参照して説明する。図１１に示すように、デュアルモード・バンドパスフィルタ１において、ビアホール電極４を共振器電極３の中心に配置し、該ビアホール電極４の直径Ｒを０．１ｍｍ、０．２ｍｍ、０．３ｍｍ及び０．４ｍｍとした４種類のデュアルモード・バンドパスフィルタを作製した。図１２及び図１３は、上記のようにして作製された４種類のデュアルモード・バンドパスフィルタの反射特性及び通過特性をそれぞれ示す。
【００４２】
図１２及び図１３から明らかなように、ビアホール電極４の直径を大きくしていくと、フィルタの中心周波数が高くなることがわかる。すなわち、ビアホール電極４の断面積を大きくすることにより、フィルタの中心周波数を高めるように周波数調整を行い得ることがわかる。
【００４３】
また、デュアルモード・バンドパスフィルタ１では、ビアホール電極４の長さを調整することによっても、周波数調整を行うことができる。図１４（ａ）及び（ｂ）に示すように、デュアルモード・バンドパスフィルタ１において、ビアホール電極４を共振器電極３の中心に配置し、かつビアホール電極４の長さ、すなわち、ビアホール電極４の共振器電極３の下面からビアホール電極４の先端までの長さｚを、０．１２５、０．１５及び０．１７５ｍｍとされた３種類のデュアルモード・バンドパスフィルタ１を作製した。図１５及び図１６は、このようにして構成された３種類のデュアルモード・バンドパスフィルタの反射特性及び通過特性をそれぞれ示す図である。図１５及び図１６から明らかなように、ビアホール電極４の長さＺを長くすることにより、帯域幅を広げ得ることがわかる。
【００４４】
上述した図８〜図１６から明らかなように、デュアルモード・バンドパスフィルタ１では、ビアホール電極４の共振器電極３に対する位置、ビアホール電極４の直径及びビアホール電極４の長さ等を変更することにより、デュアルモード・バンドパスフィルタ１として、様々な中心周波数や帯域幅のデュアルモード・バンドパスフィルタを容易に構成し得ることがわかる。
【００４５】
また、前述した第３の実施例から明らかなように、複数のビアホール電極４ａ，４ｂを設けることによっても、様々な周波数特性を有するバンドパスフィルタを容易に提供し得ることがわかる。
【００４６】
なお、上述した実施例及び実験例では、共振器電極３は円形の形状とされていたが、図１７（ａ）及び（ｂ）に示すように、三角形または五角形などの多角形状の共振器電極３１，３２を用いてもよく、共振器電極３の平面形状は特に限定されず、周縁が不規則な形状を有するように共振器電極を構成してもよい。
【００４７】
また、ビアホール電極４の横断面形状についても円形に限らず、矩形等の適宜の形状とすることができる。
さらに、デュアルモード・バンドパスフィルタ１では、共振器電極３の下面にビアホール電極４が接合されていたが、共振器電極３の上面に共振器電極３と直交する方向に延びるビアホール電極を設けてもよい。また、共振器電極３の上面及び下面の双方において、共振器電極３と直交する方向に延びるビアホール電極を設けてもよい。
【００４８】
さらに、入出力結合回路５，６については、共振器電極３と同じ高さ位置において共振器電極３と隔てられて配置されてもよい。
デュアルモード・バンドパスフィルタ１では、共振器電極３の上方及び下方にグラウンド電極９，１０が形成され、トリプレート構造とされていたが、第１，第２のグラウンド電極は誘電体基板２の上面２ａ及び下面２ｂにそれぞれ形成されていてもよい。
【００４９】
次に、本発明に係るデュアルモード・バンドパスフィルタを用いたデュプレクサ及び無線通信装置の実施例を、図１８を参照して説明する。
図１８は、上記デュアルモード・バンドパスフィルタを用いたデュプレクサＤＰＸを有する無線通信装置３００の要部を示すブロック図である。
【００５０】
本実施例のデュプレクサＤＰＸは、本発明にしたがって構成されたデュアルモード・バンドパスフィルタからなる第１，第２のバンドパスフィルタＢＰＦ１，ＢＰＦ２を有する。第１，第２のバンドパスフィルタＢＰＦ１，ＢＰＦ２の一端が、それぞれ、デュプレクサＤＰＸの第１，第２のポートＰ１，Ｐ２に接続されており、バンドパスフィルタＢＰＦ１，ＢＰＦ２の他端が共通接続され、デュプレクサＤＰＸの第３のポートＰ３に接続されている。
【００５１】
また、第１のポートＰ１は、送信部ＴＸに接続され、第２のポートＰ２は、受信部ＲＸに接続されている。さらに、デュプレクサＤＰＸの第３のポートＰ３は、アンテナＡＮＴに接続されている。
【００５２】
本実施例のデュプレクサでは、本発明のデュアルモード・バンドパスフィルタからなる第１，第２のバンドパスフィルタＢＰＦ１，ＢＰＦ２を有するので、設計の自由度に優れ、所望とする帯域幅を容易に得ることができる。また、無線通信装置３００では、上記デュプレクサＤＰＸを有するため、通信品質を容易に高めることができる。
【００５３】
【発明の効果】
本発明に係るデュアルモード・バンドパスフィルタでは、誘電体基板内に共振器電極が配置されており、該共振器電極の２つの共振モードが結合するように共振器電極の少なくとも一方面から共振器電極に直交するようにビアホール電極が配置されており、それによって２つの共振モードが結合されてデュアルモード・バンドパスフィルタとしての特性が得られている。従って、入出力結合回路の共振器電極に対する結合点の制約が少なく、またビアホール電極の数、形成位置、寸法等を変更することにより様々な帯域幅及び中心周波数のデュアルモード・バンドパスフィルタを容易に構成することができる。
【００５４】
よって、本発明によれば、設計の自由度が大幅に高められるだけでなく、所望とする帯域幅及び中心周波数のデュアルモード・バンドパスフィルタを容易に提供することが可能となる。
【００５５】
上記ビアホール電極が複数設けられている場合には、複数のビアホール電極の数、位置及び寸法を調整することにより、より一層様々な周波数特性のデュアルモード・バンドパスフィルタを提供することが可能となる。共振器電極と誘電体基板の一部を介して対向するように配置されたグラウンド電極がさらに備えられている場合には、グラウンド電極で囲まれた部分に共振電界を効果的に閉じ込めることができる。
【００５６】
特に、グラウンド電極が共振器の上下に配置された第１，第２のグラウンド電極を有する場合には、本発明に従ってトリプレート構造のデュアルモード・バンドパスフィルタを提供することができる。
【００５７】
本発明に係るデュプレクサでは、本発明に従って構成されたデュアルモード・バンドパスフィルタを備えるため、設計の自由度が高められており、所望とする帯域幅等の周波数特性を容易に得ることができる。
【００５８】
また、本発明に係る無線通信装置では、本発明に従って構成されたデュアルモード・バンドパスフィルタまたはデュプレクサを有するため、設計の自由度で優れており、所望とする周波数特性を容易に得ることができ、通信品質を容易に高めることができる。
【図面の簡単な説明】
【図１】（ａ）は本発明の第１の実施例のデュアルモード・バンドパスフィルタの平面図、（ｂ）は（ａ）におけるＡ−Ａ線に沿う断面図、（ｃ）は共振器電極が形成されている部分の拡大平面断面図。
【図２】（ａ）は第１の実施例のデュアルモード・バンドパスフィルタの第１のグラウンド電極の形状を示すための模式的平面断面図、（ｂ）は入出力結合回路が設けられている部分の平面断面図、（ｃ）は共振器電極が設けられている高さ位置の平面断面図、（ｄ）下方の第２のグラウンド電極の形状を示すための模式的平面断面図。
【図３】第１の実施例のデュアルモード・バンドパスフィルタの周波数特性を示す図。
【図４】第２の実施例のデュアルモード・バンドパスフィルタを説明するための模式的平面断面図。
【図５】第２の実施例及び第１の実施例のデュアルモード・バンドパスフィルタの周波数特性を示す図。
【図６】第３の実施例のデュアルモード・バンドパスフィルタを説明するための模式的平面断面図。
【図７】第３の実施例及び第１の実施例のデュアルモード・バンドパスフィルタの周波数特性を示す図。
【図８】第１の実施例のデュアルモード・バンドパスフィルタにおいてビアホール電極の位置を変化させた構造を説明するための模式的平面断面図。
【図９】ビアホール電極の位置を誘電体基板の短辺方向においてずらせた場合の反射特性の変化を示す図。
【図１０】ビアホール電極の位置を誘電体基板の短辺方向においてずらせた場合の通過特性の変化を示す図。
【図１１】ビアホール電極の直径を変化させた構造を説明するための模式的平面断面図。
【図１２】ビアホール電極の直径を変化させた場合の反射特性の変化を示す図。
【図１３】ビアホール電極の直径を変化させた場合の通過特性の変化を示す図。
【図１４】（ａ）及び（ｂ）は、ビアホール電極の長さを変化させた構造を説明するための模式的平面断面図及び模式的正面断面図。
【図１５】ビアホール電極の長さを変化させた場合の反射特性の変化を示す図。
【図１６】ビアホール電極の長さを変化させた場合の通過特性の変化を示す図。
【図１７】（ａ）及び（ｂ）は、それぞれ、共振器電極の平面形状の変形例を説明するための模式的平面図。
【図１８】本発明に従って構成されたデュプレクサが組み込まれた無線通信装置を説明するための概略ブロック図。
【図１９】従来のデュアルモード・バンドパスフィルタの一例を説明するための斜視図。
【図２０】図１９に示したデュアルモード・バンドパスフィルタの要部を示す模式的正面断面図。
【符号の説明】
１…デュアルモード・バンドパスフィルタ
２…誘電体基板
２ａ…上面
２ｂ…下面
２ｃ，２ｄ…端面
２ｅ，２ｆ…側面
３…共振器電極
４…ビアホール電極
４ａ，４ｂ…ビアホール電極
５，６…入出力結合回路
７，８…入出力電極
９，１０…第１，第２のグラウンド電極
１１…デュアルモード・バンドパスフィルタ
１２，１３…グラウンド電極
２１…デュアルモード・バンドパスフィルタ
３１，３２…共振器電極
３００…無線通信装置
ＤＰＸ…デュプレクサ
Ｐ１〜Ｐ３…第１〜第３のポート
ＢＰＦ１，ＢＰＦ２…第１，第２のバンドパスフィルタ
ＡＮＴ…アンテナ
ＲＸ…受信部
ＴＸ…送信部
【図１】
2004312184.tif 000003
【図２】
2004312184.tif 000004
【図３】
2004312184.tif 000005
【図４】
2004312184.tif 000006
【図５】
2004312184.tif 000007
【図６】
2004312184.tif 000008
【図７】
2004312184.tif 000009
【図８】
2004312184.tif 000010
【図９】
2004312184.tif 000011
【図１０】
2004312184.tif 000012
【図１１】
2004312184.tif 000013
【図１２】
2004312184.tif 000014
【図１３】
2004312184.tif 000015
【図１４】
2004312184.tif 000016
【図１５】
2004312184.tif 000017
【図１６】
2004312184.tif 000018
【図１７】
2004312184.tif 000019
【図１８】
2004312184.tif 000020
【図１９】
2004312184.tif 000021
【図２０】
2004312184.tif 000022